(57)【要約】下記の（ｉ）及び（ii）を含んでなるウェットタイプの抗菌性拭取り用品であって、（ｉ）不織布基材；及び（ｉｉ）下記の（ａ）、（ｂ）及び（ｃ）を含んでなるローション：（ａ）下記式の第一の四級窒素化合物のローション  約０．０００１重量％〜約２．０重量％：【化１】2004529148.tif 000028（式中、Ｒ１及びＲ２はＣ１〜Ｃ３アルキルから各々独立して選択される；Ｒ３及びＲ４は各々独立して、約１〜約３０個の炭素原子を有する直鎖又は分枝鎖、飽和又は不飽和、置換又は非置換、環状又は非環状、脂肪族又は芳香族炭化水素基であるが、ただしＲ３及びＲ４の少なくとも１つは芳香族部分を含む；Ｘはハロゲン、スルフェート、アルキルスルフェート、及びそれらの混合物からなる群より選択される）；（ｂ）下記式の第二の四級窒素化合物のローション  約０．０００１重量％〜約５．０重量％：【化２】2004529148.tif 000029（式中、Ｒ１、Ｒ２及びＲ３はＣ１〜Ｃ３アルキルから各々独立して選択される；Ｒ５は、約１〜約３０個の炭素原子を有する直鎖又は分枝鎖、飽和又は不飽和、置換又は非置換、環状又は非環状、脂肪族炭化水素基である；Ｘはハロゲン、スルフェート、アルキルスルフェート、及びそれらの混合物からなる群より選択される）；及び（ｃ）水性キャリア該拭取り用品は、該拭取り用品が適用された表面においてグラム陽性及びグラム陰性の両細菌の個体数を実質上均等に減少させる。更に該拭取り用品及び容器を含む物品、並びに該拭取り用品を調製及び使用する方法も提供される。【特許請求の範囲】
【請求項１】
下記の（ｉ）及び（ii）を含んでなるウェットタイプの抗菌性拭取り用品であって、
（ｉ）不織布基材；及び
（ｉｉ）下記の（ａ）、（ｂ）及び（ｃ）を含んでなるローション：
（ａ）下記式の第一の四級窒素化合物のローション  ０．０００１重量％〜２．０重量％：
【化１】
2004529148.tif 000021
（式中、Ｒ１及びＲ２はＣ１〜Ｃ３アルキルから各々独立して選択される；Ｒ３及びＲ４は各々独立して、１〜３０個の炭素原子を有する直鎖又は分枝鎖、飽和又は不飽和、置換又は非置換、環状又は非環状、脂肪族又は芳香族炭化水素基であるが、ただしＲ３及びＲ４の少なくとも１つは芳香族部分を含む；Ｘはハロゲン、スルフェート、アルキルスルフェート、及びそれらの混合物からなる群より選択される）；
（ｂ）下記式の第二の四級窒素化合物のローション  ０．０００１重量％〜５．０重量％：
【化２】
2004529148.tif 000022
（式中、Ｒ１、Ｒ２及びＲ３はＣ１〜Ｃ３アルキルから各々独立して選択される；Ｒ５は、１〜３０個の炭素原子を有する直鎖又は分枝鎖、飽和又は不飽和、置換又は非置換、環状又は非環状脂肪族炭化水素基である；Ｘはハロゲン、スルフェート、アルキルスルフェート、及びそれらの混合物からなる群より選択される）；及び
（ｃ）水性キャリア
該拭取り用品は、該拭取り用品が適用された表面においてグラム陽性及びグラム陰性の両細菌の個体数を実質上均等に減少させる、上記ウェットタイプの抗菌性拭取り用品。
【請求項２】
前記第一の四級窒素化合物において、Ｒ３及びＲ４が各々独立して、直鎖又は分枝鎖、置換又は非置換、環状又は非環状のアルキルアリール；直鎖又は分岐鎖、置換又は非置換、環状又は非環状のアルコキシアリール；置換又は非置換アリール；直鎖又は分枝鎖、置換又は非置換、環状又は非環状のアルキル；及び直鎖又は分枝鎖、置換又は非置換、環状又は非環状のアルケニルからなる群より選択される、請求項１に記載のウェットタイプの抗菌性拭取り用品。
【請求項３】
前記第一の四級窒素化合物において、Ｒ３が下記式：
【化３】
2004529148.tif 000023
（式中、ｎは０〜６の整数であり、ｚは０〜３の整数であり、Ｒ６は１〜１２個の炭素原子を有する直鎖又は分枝鎖、飽和又は不飽和、置換又は非置換、環状又は非環状の脂肪族炭化水素基である）を有し、Ｒ４が下記式：
【化４】
2004529148.tif 000024
（式中、ｍは０〜１０の数であり、ｚ及びＲ６は上記で記載した通りである）を有する、請求項１又は２のいずれか一項に記載のウェットタイプの抗菌性拭取り用品。
【請求項４】
前記第一の四級窒素化合物が下記式：
【化５】
2004529148.tif 000025
を有する、請求項１〜３のいずれか一項に記載のウェットタイプの抗菌性拭取り用品。
【請求項５】
前記第二の四級窒素化合物において、Ｒ５が直鎖又は分枝鎖、置換又は非置換のアルキル；直鎖又は分枝鎖、置換又は非置換のアルコキシ；及び直鎖又は分岐鎖、置換又は非置換のアルケニルからなる群より選択される、請求項１〜４のいずれか一項に記載のウェットタイプの抗菌性拭取り用品。
【請求項６】
前記表面上のグラム陽性菌の個体数のｌｏｇ減少率が、前記表面上のグラム陰性菌の個体数のｌｏｇ減少率の±２以内である、請求項１〜５のいずれか一項に記載のウェットタイプの抗菌性拭取り用品。
【請求項７】
前記表面上のグラム陽性菌の個体数の前記ｌｏｇ減少率、及び前記表面上のグラム陰性菌の個体数の前記ｌｏｇ減少率が、前記拭取り用品を前記表面に適用した５分後に測定される、請求項１〜６のいずれか一項に記載のウェットタイプの抗菌性拭取り用品。
【請求項８】
下記の（ｉ）及び（ii）を含んでなるウェットタイプの抗菌性拭取り用品であって、
（ｉ）不織布基材；及び
（ｉｉ）下記の（ａ）、（ｂ）及び（ｃ）を含んでなるローション：
（ａ）下記式の第一の四級窒素化合物のローション  ０．０００１重量％〜２．０重量％：
【化６】
2004529148.tif 000026
（式中、Ｘはハロゲン、スルフェート、アルキルスルフェート、及びそれらの混合物からなる群より選択される）；
（ｂ）下記式の第二の四級窒素化合物のローション  ０．０００１重量％〜５．０重量％：
【化７】
2004529148.tif 000027
（式中、Ｘはハロゲン、スルフェート、アルキルスルフェート、及びそれらの混合物からなる群より選択される）；及び
（ｃ）水性キャリア
該拭取り用品は、該拭取り用品が適用された表面においてグラム陰性菌の個体数を減少させる、上記拭取り用品。
【請求項９】
前記水性キャリアが、水、Ｃ１〜Ｃ３アルコール、Ｃ２〜Ｃ６ポリオール、及びそれらの混合物からなる群より選択される、請求項１〜８のいずれか一項に記載のウェットタイプの抗菌性拭取り用品。
【請求項１０】
個別のウェットタイプの拭取り用品を確実に１つずつ連続的に分配するためのポップアップ式分配装置であって、該装置は、
（Ａ）内部部分、及び上記ウェットタイプの拭取り用品を連続的に引き出すための開口部を有する容器；及び
（Ｂ）請求項１〜９のいずれか一項に記載の複数の上記ウェットタイプの抗菌性拭取り用品からなり、上記ウェットタイプの拭取り用品は、上記容器の上記内部部分において積み重ねられ、折り畳まれて差し込まれている、上記分配装置。
【発明の詳細な説明】
【技術分野】
【０００１】
本発明は、ウェットタイプの抗菌性拭取り用品（premoistened antibacterial wipe）、ウェットタイプの拭取り用品を含む物品、及びウェットタイプの抗菌性拭取り用品を調製及び使用する方法に関する。
【背景技術】
【０００２】
現代の消費者は、細菌及び細菌が引き起こし得る潜在的な疫病及び病気を懸念している。このことは、表面を殺菌及び／又は除菌するために利用可能な抗菌製品が過剰にあることからも明らかである。このような物品の例は、抗菌性乳児用拭取り用品、抗菌性硬質表面用拭取り用品、抗菌性食器洗浄液などである。
【発明の開示】
【発明が解決しようとする課題】
【０００３】
これらの抗菌性製品自体を使用することが潜在的な問題を生じる場合もある。１つの代表的な問題は、抗菌性成分が、ある種の細菌に対する方が別の細菌に対するよりも効果的であるということである。例えば、抗菌性成分はグラム陽性菌に対して極めて効果的であるが、グラム陰性菌については最小限の効果しかない。これによって、通常の細菌の個体数に比べてある種の細菌の個体数が不均衡になる。時間が経つと、このことによって細菌の濃度が不自然になり、抗菌性製品が予防することを目的としていた疫病及び病気を発生する可能性がある。
【０００４】
従って、製品を適用した後の表面上において１つ以上の細菌の個体数が不均衡にならないような様式で、表面上の全ての細菌の個体数を減少させる製品が必要とされている。
【課題を解決するための手段】
【０００５】
本発明の第一の態様により、ウェットタイプの拭取り用品が提供される。該拭取り用品は、下記の（ｉ）及び（ii）を含んでなる：
（ｉ）不織布基材；及び
（ｉｉ）下記の（ａ）、（ｂ）及び（ｃ）を含んでなるローション：
（ａ）下記式の第一の四級窒素化合物のローション  約０．０００１重量％〜約２．０重量％：
【化１】
2004529148.tif 000002
（式中、Ｒ１及びＲ２はＣ１〜Ｃ３アルキルから各々独立して選択される；Ｒ３及びＲ４は各々独立して、約１〜約３０個の炭素原子を有する直鎖又は分枝鎖、飽和又は不飽和、置換又は非置換、環状又は非環状、脂肪族又は芳香族炭化水素基であるが、ただしＲ３及びＲ４の少なくとも１つは芳香族部分を含む；Ｘはハロゲン、スルフェート、アルキルスルフェート、及びそれらの混合物からなる群より選択される）；
（ｂ）下記式の第二の四級窒素化合物のローション  約０．０００１重量％〜約５．０重量％：
【化２】
2004529148.tif 000003
（式中、Ｒ１、Ｒ２及びＲ３はＣ１〜Ｃ３アルキルから各々独立して選択される；Ｒ５は、約１〜約３０個の炭素原子を有する直鎖又は分枝鎖、飽和又は不飽和、置換又は非置換、環状又は非環状、脂肪族炭化水素基である；Ｘはハロゲン、スルフェート、アルキルスルフェート、及びそれらの混合物からなる群より選択される）；及び
（ｃ）水性キャリア
該拭取り用品は、該拭取り用品が適用された表面においてグラム陽性及びグラム陰性の両細菌の個体数を実質的に均等に減少させる。
【０００６】
本発明の第二の態様によれば、製品が提供される。該製品は、下記の（Ａ）及び（Ｂ）を含んでなる：
（Ａ）容器；
（Ｂ）複数のウェットタイプの拭取り用品
該ウェットタイプの拭取り用品は、本発明に基づくウェットタイプの拭取り用品を含む。
【０００７】
本発明の第三の態様によれば、個別のウェットタイプの拭取り用品を確実に１つずつ連続的に分配するためのポップアップ式分配装置が提供される。該装置は、下記の（Ａ）及び（Ｂ）を含んでなる：
（Ａ）内部部分、及び上記ウェットタイプの拭取り用品を連続的に引き出すための開口部とを有する容器；及び
（Ｂ）本発明による複数の上記ウェットタイプの抗菌性拭取り用品
該ウェットタイプの拭取り用品は、前記容器の内部部分において積み重ねられ、折り畳まれて差し込まれている。
【０００８】
本発明の第４の態様によれば、表面上のグラム陽性及びグラム陰性の両細菌の個体数を実質的に均等に減少させる方法が提供される。該方法は、表面とウェットタイプの抗菌性拭取り用品とを接触させる工程を少なくとも含み、該拭取り用品は、下記の（ｉ）及び（ii）を含んでなる：
（ｉ）不織布基材；及び
（ｉｉ）下記の（ａ）、（ｂ）及び（ｃ）を含んでなるローション：
（ａ）下記式の第一の四級窒素化合物のローション  約０．０００１重量％〜約２．０重量％：
【化３】
2004529148.tif 000004
（式中、Ｒ１及びＲ２はＣ１〜Ｃ３アルキルから各々独立して選択される；Ｒ３及びＲ４は各々独立して、約１〜約３０個の炭素原子を有する直鎖又は分枝鎖、飽和又は不飽和、置換又は非置換、環状又は非環状、脂肪族又は芳香族炭化水素基であるが、ただしＲ３及びＲ４の少なくとも１つは芳香族部分を含む；Ｘはハロゲン、スルフェート、アルキルスルフェート、及びそれらの混合物からなる群より選択される）；
（ｂ）下記式の第二の四級窒素化合物のローション  約０．０００１重量％〜約５．０重量％：
【化４】
2004529148.tif 000005
（式中、Ｒ１、Ｒ２及びＲ３はＣ１〜Ｃ３アルキルから各々独立して選択される；Ｒ５は、約１〜約３０個の炭素原子を有する直鎖又は分枝鎖、飽和又は不飽和、置換又は非置換、環状又は非環状、脂肪族炭化水素基である；Ｘはハロゲン、スルフェート、アルキルスルフェート、及びそれらの混合物からなる群より選択される）；及び
（ｃ）水性キャリア。
【０００９】
本発明の第５の態様により、ウェットタイプの拭取り用品が提供される。該拭取り用品は、下記の（ｉ）及び（ii）を含んでなる：
（ｉ）不織布基材；及び
（ｉｉ）下記の（ａ）、（ｂ）及び（ｃ）を含んでなるローション：
（ａ）下記式の第一の四級窒素化合物のローション  約０．０００１重量％〜約２．０重量％：
【化５】
2004529148.tif 000006
（式中、Ｘはハロゲン、スルフェート、アルキルスルフェート、及びそれらの混合物からなる群より選択される）；
（ｂ）下記式の第二の四級窒素化合物のローション  約０．０００１重量％〜約５．０重量％：
【化６】
2004529148.tif 000007
（式中、Ｘはハロゲン、スルフェート、アルキルスルフェート、及びそれらの混合物からなる群より選択される）；及び
（ｃ）水性キャリア
該拭取り用品は、該拭取り用品が適用された表面においてグラム陰性菌の個体数を減少させる。
【００１０】
引用される全ての文献は、関連部分において本明細書に引用して援用される；いずれの文献の引用も、それが本発明に関する先行技術となることの容認として解釈されるべきではない。
【００１１】
本明細書において、特に指定しない限り、全てのパーセント、比率、及び割合は重量であり、全ての温度は摂氏温度（℃）である。全ての測定値は、特に指定のない限りＳＩ単位による。
【発明を実施するための最良の形態】
【００１２】
本明細書で使用する時、用語「水溶液」とは、少なくとも５０重量％が水である溶液のことをいう。
【００１３】
本明細書で使用する時、用語「ウェットタイプの拭取り用品」は、消費者が使用する前に流体組成物で基材を湿らせることなどにより湿らせた基材を含む、拭取り用品のことをいう。特に、「ウェットタイプの拭取り用品」は、一般的に湿気不透過性の容器又は包み材などへの包装の前に湿らせた基材を有する拭取り用品をいう。
【００１４】
「ウェット拭取り用品」及び「ぬれナプキン」と呼ぶこともできる、かかるウェットタイプの拭取り用品は、男及び女の乳児と同様に、全年齢の成人の洗浄用途に好適である。かかる拭取り用品はまた、物質を身体に適用するために使用する物品を含むことができ、メークアップ、皮膚コンディショナー、軟膏及び医療品の適用などが挙げられるが、これには限定されない。かかる拭取り用品はまた、ペットを洗浄する又は手入れをするために使用する物品、並びに家庭台所及びバスルーム表面、眼鏡、運動及び体操道具、自動車表面などの、表面及び物体の一般洗浄に使用する物品を含むことができる。
【００１５】
本明細書で使用する時、用語「重量％」又は「重量百分率」は、ローションの全重量に対する百分率としての拭取り用品のローション中の構成成分の重量を指す。
【００１６】
本明細書で使用する時、用語「水溶性」は、ある構成成分が、２５℃において少なくとも約０．２５重量％のレベルで、水に溶解可能であること、さもなければ分散可能であること（ミセル溶液を作るなど）を意味する。
【００１７】
本明細書で使用する時、用語「界面活性剤」は、好ましくは界面に配向する材料を指し、界面活性剤類の種類として、非イオン性界面活性剤、陰イオン性界面活性剤、陽イオン性界面活性剤、両性界面活性剤、双性イオン性界面活性剤、及びそれらの混合物が挙げられる。
【００１８】
本明細書で使用する時、用語「乳化剤」又は「可溶化剤」は、ローション組成物中の１つ以上の他の構成成分がローションから相分離する傾向を減少させる構成成分を指す。
【００１９】
本明細書で使用する時、用語「共活性剤」は、界面活性剤又は乳化剤／可溶化剤のいずれかとして作用することができる構成成分を意味する。
【００２０】
本明細書で使用する時、用語「生物学的表面」とは、生物上の表面、通常は皮膚、毛髪、爪などのような生物の外表面のことを指す。それは、顔、手、臀部などのような生物上の特定の位置もその範囲内に含む。また、成人、未成年者、幼児、及び乳児、その他の高等霊長類などのような様々な生物が含まれる。代表的な例としては、尿、便、食物などで汚れた乳児の皮膚、例えば、顔、手、臀部などが挙げられる。
【００２１】
本明細書で使用する時、「実質的に均等に減少させる」という語句は、グラム陰性菌の個体数における減少が、グラム陰性菌の個体数における減少に対して同程度の割合であることを意味する。すなわち、例えば、グラム陰性菌の個体数における減少が、グラム陽性菌の個体数における減少に比べて不均衡ではなく、その逆もまた同様である。「実質的に均等に減少する」という語句は、表面上のグラム陽性菌の個体数のｌｏｇ減少率が、表面上のグラム陰性菌の個体数のｌｏｇ減少率の±２の範囲内であることを意味することが極めて好ましい。このｌｏｇ減少率が測定される時間は、グラム陰性及びグラム陽性の両細菌で同じにすべきである。ｌｏｇ減少率を測定するための１つの好適な時間は、表面上に本発明に基づく拭取り用品を適用した５分後である。別の好適な時間は、表面上に本発明に基づく拭取り用品を適用した１０分後である。
【００２２】
本明細書で使用する時、「含む」という用語は、本発明を実施する際、多様な構成成分、成分又は工程を共同して使用できることを意味する。それ故に、「含む」という用語は、より限定的な用語「本質的に〜からなる」及び「〜からなる」を含む。
【００２３】
本発明の１つの実施形態において、使い捨て拭取り物品及び／又はウェットタイプの拭取り用品は、「乳児用拭取り用品」であってもよい。すなわちそれは、汚れたおむつを交換する際に、介護人によって幼児及び／又は乳児に使用されるように設計された拭取り用品である。拭取り用品は、幼児から便、乾燥した尿などを取り除くのに使用してもよい。あるいは「乳児用拭取り用品」は、手及び／又は顔の洗浄の代わりに子供をリフレッシュさせるために、更には子供又は子供の衣服から汚れ、食物、嘔吐物、粘液などを取り除くために使用してもよい。これらの拭取り用品はまた、リフレッシュするために、メークアップなどを取り除くために成人によって使用されてもよいが、基材及び／又はローションは幼児及び／又は乳児を考慮して製造される。
【００２４】
本発明の別の実施形態において、使い捨て拭取り物品及び／又はウェットタイプの拭取り用品は、「成人用拭取り用品」であってもよい。すなわち、リフレッシュ、食物除去、洗浄、肌に直接触れる用途などのために成人用に特別に製造される。
【００２５】
本発明の別の実施形態において、使い捨て拭取り物品及び／又はウェットタイプの拭取り用品は、「硬質表面の洗浄用拭取り用品」であってもよい。すなわち、それは、床、調理台上面、シンク、壁、タイルなどの硬質表面に使用するように設計された拭取り用品である。それは、タイル、セラミック、木材、磁器、金属、ガラスなどのような種々の表面に使用されるように製造できる。あるいはそれは、台所、浴室、車などのような特定の領域で使用されるように製造することもできる。
【００２６】
本発明の１つの好ましい実施形態において、拭取り物品は使い捨てであってもよい。更に拭取り物品は、好ましくは織布基材、不織布基材、発泡体、フィルム、スポンジなどから選択される基材であってもよい。
【００２７】
（ｉ）基材：
本発明のウェットタイプの拭取り用品は、天然繊維、合成繊維、又は天然繊維と合成繊維との混合物の織布又は不織布ウェブを含む、基材を含む。好適な天然繊維として、木材パルプ繊維、木綿、及びレーヨンなどの、セルロース繊維などが挙げられるが、これらに限定されない。好適な合成繊維には、一般に織物に使用される繊維が含まれ、ポリエステル及びポリプロピレン繊維などが挙げられるが、これらに限定されない。
【００２８】
種々の形成方法を使用して本発明に使用するための好適な繊維質ウェブを形成できる。例えば、ウェブは、エアレイイング（air-laying）などの乾式不織布形成技法により、又は抄紙機上などでの湿式積層により、製造することができる。他の不織布製造技法も使用することができ、接着剤結合、メルトブローン、スパンボンド、ニードルパンチ、及び湿式からみ合わせ、並びに積層方法などの技法が挙げられるが、これらに限定されない。
【００２９】
１つの実施形態では、乾燥繊維質ウェブは、天然繊維、短繊維の合成繊維、及びラテックス結合剤の組み合わせを含むエアレイド不織布ウェブであり得る。乾燥繊維質ウェブは、木材パルプ繊維約２０〜８０重量％、短繊維のポリエステル繊維１０〜６０重量％、及び結合剤約１０〜２５重量％であることができる。
【００３０】
乾燥繊維質ウェブは、１平方メートルあたり約４０〜約８０グラムの坪量を有することができる。乾燥ウェブの密度は、ウェットタイプの拭取り用品から液体を蒸発させた後に測定することができ、密度は立方センチメートルあたり約０．１２グラム未満であり得る。密度は、一貫する単位で測定した乾燥ウェブの厚さで割った乾燥ウェブの坪量であり、乾燥ウェブの厚さは、約１３平方センチ（２平方インチ）の面積を有し１平方センチあたり約１５ｇ（１平方インチあたり約９５ｇ）の制限圧を提供する環状の荷重台を使用して測定する。１つの実施形態において、乾燥ウェブは、１平方メートルあたり約６４グラムの坪量、約０．０６ｃｍの厚さ、及び１立法センチメートルあたり約０．１１グラムの密度を有することができる。
【００３１】
１つの実施形態において乾燥繊維質ウェブは、木材パルプ繊維を少なくとも５０重量％、更に好ましくは木材パルプ繊維を少なくとも約７０重量％含み得る。本発明の使用に好適な１つの特別なエアレイド不織布ウェブは、セルロース繊維（約２．６ｍｍの平均繊維長を有する南部の軟木クラフト紙）を約７３．５重量％、繊維長約１．３５ｇ／９０００ｍのデニール及び約２センチ（０．８５インチ）の短繊維を有するポリエステル繊維を約１０．５重量％、及びスチレンブタジエン共重合体を含む結合剤組成物を約１６重量％含む。結合剤組成物は、シャーロット（Charlotte）Ｎ．Ｃ．のマラードクリークポリマー（Mallard Creek Polymers）からロべーヌ（Rovene）５５５０（固体スチレンブタジエン４９％）として市販されているラテックス接着剤を使用して作ることができる。
【００３２】
本発明における使用に好適な１つのエアレイド不織布ウェブは、プロクターアンドギャンブル社（Procter & Gamble Co.）（米国オハイオ州シンシナティ）から市販されているパンパース（PAMPERS）ブランドの乳児用拭取り用品に使用されているエアレイド不織布ウェブである。
【００３３】
以下の特許はウェブに関する開示のために参照される：１９７５年１月２８日発行の米国特許第３，８６２，４７２号；１９７６年９月２８日発行の米国特許第３，９８２，３０２号；１９７７年１月２５日発行の米国特許第４，００４，３２３号；１９７７年１１月８日発行の米国特許第４，０５７，６６９号；１９７８年７月４日発行の米国特許第４，０９７，９６５号；１９７９年１２月４日発行の米国特許第４，１７６，４２７号；１９７８年１２月２６日発行の米国特許第４，１３０，９１５号；１９７９年１月１６日発行の米国特許第４，１３５，０２４号；１９８０年２月２６日発行の米国特許第４，１８９，８９６号；１９８０年６月１０日発行の米国特許第４，２０７，３６７号；１９８１年１０月２０日発行の米国特許第４，２９６，１６１号；１９８２年１月２５日発行の米国特許第４，３０９，４６９号；１９８７年７月２８日発行の米国特許第４，６８２，９４２号；米国特許第４，６３７，８５９号；米国特許第５，２２３，０９６号；米国特許第５，２４０，５６２号；米国特許第５，５５６，５０９号；及び米国特許第５，５８０，４２３号。
【００３４】
１つの別の実施形態において、基材は、１平方メートルあたり約６２グラムの坪量を有する湿式からみ合わせウェブを含むことができ、レーヨン繊維を約５０重量％、及びポリエステル繊維、ポリプロピレン繊維、又はその組み合わせを約５０重量％を含むことができる。別の実施形態では、基材は、外側の層において表面材質を提供するために、熱によって収縮するネット状のスクリム素材又は連続的なプラスチックフィルム素材の形態であり得る、内部の圧迫層に結合した１平方メートルあたり約３０グラムの坪量を有するポリエステル繊維の不織布ウェブのような２つの外側の湿式からみ合わせウェブの積層体を含むことができる。
【００３５】
本発明の１つの好ましい実施形態において、ウェットタイプの拭取り用品は、乾燥基材を、乾燥繊維質ウェブ１グラムあたり少なくとも０．５グラムの組成物で湿らせることによって製造される。より好ましくは、乾燥基材１グラムあたり少なくとも約１．０グラム、より好ましくは少なくとも約１．５グラムの組成物で、乾燥基材を湿らせる。より好ましくは、乾燥基材１グラムあたり最大で約５．０グラム、より好ましくは最大で約４．０グラム、更により好ましくは最大で約３．５グラムの組成物で、乾燥基材を湿らせる。０．５の「負荷率」とは、乾燥基材を、乾燥基材１グラムあたり０．５グラムの組成物で湿らせることを意味する。
【００３６】
本発明の１つの実施形態において、基材表面は本質的に平坦である。本発明の別の実施形態において、基材の表面は任意選択的に高くした部分及び／又は低くした部分を含んでいてもよい。これらは、拭取り用品によって清浄されるべき表面（すなわち、幼児の臀部、成人の顔など）の、意匠文字、しるし、商標、幾何学的なパターン、画像の形態であることができる。それは、基材表面にランダムに配置されてもよいし、又はある形態の繰り返しパターンであってもよい。それは基材片面、又は両面上であってもよい。１つの実施形態において、基材は、繰り返しパターン又は基材の交互に高くした部分及び低くした部分を含む。基材表面中又は表面上におけるこのような変化は、拭取り用品の目的とする用途に関する情報、消費者が使用している拭取り用品がどのブランド又はどの種類であるかを消費者に伝えるために含まれていてもよく、拭取り用品が適用される表面の洗浄を助けるために含まれてもよい。１つの実施形態において消費者と接触する基材表面は平坦であるが、洗浄される物品が接触する反対の表面は粗いか、又はある様式で不規則なものである。理論に限定されることを望まないが、表面中又は表面上の変化が、拭取り行為に加えて表面に機械的な作用を与えると考えられている。
【００３７】
基材という用語が２つ以上の基材の積層体を含むことも本発明の範囲内である。市販の積層体又は専用積層体も本発明の範囲内である。
【００３８】
本発明の１つの実施形態において基材はフラッシャブルである。すなわち、基材を便器、室内便器などで水に流すことによって処分してもよく、基材は便器を詰まらせず、無菌システムの問題にもならない。
【００３９】
本発明の別の実施形態において基材は生分解性である。例えば、基材をポリエステルアミドのような生分解性基材から製造できる。
【００４０】
（ｉｉ）ローション：
使い捨て拭取り物品及び／又はウェットタイプの拭取り用品に使用するのに好適な本発明のローションは、第一の四級窒素化合物、第二の四級窒素化合物、及び水性キャリアを含む。本明細書に使用されるローション組成物は透明又は半透明であるのが好ましく、より好ましくは透き通っている。しかし不透明又は着色したローション組成物もまた本発明の範囲内である。
【００４１】
（ａ）第一の四級窒素化合物：
本発明のローション組成物は、好ましくは下記式の第一の四級窒素化合物を含む。
【化７】
2004529148.tif 000008
式中、Ｒ１及びＲ２は好ましくはＣ１〜Ｃ３アルキルから各々独立して選択される；Ｒ３及びＲ４が各々独立して、約１〜約３０個の炭素原子を有する直鎖又は分枝鎖、飽和又は不飽和、置換又は非置換、環状又は非環状、脂肪族又は芳香族炭化水素基であるが、ただしＲ３及びＲ４の少なくとも１つは芳香族部分を含む；Ｘはハロゲン、スルフェート、アルキルスルフェート、及びそれらの混合物からなる群より選択される。
【００４２】
本発明の１つのより好ましい実施形態において、Ｒ３及びＲ４は直鎖又は分枝鎖、置換又は非置換、環状又は非環状のアルキルアリール；直鎖又は分枝鎖、置換又は非置換、環状又は非環状のアルコキシアリール；置換又は非置換のアリール；直鎖又は分枝鎖、置換又は非置換、環状又は非環状のアルキル；及び直鎖又は分枝鎖、置換又は非置換、環状又は非環状のアルケニルからなる群より各々独立して選択される。Ｒ３及びＲ４は各々独立して、直鎖又は分枝鎖、置換又は非置換のアルキルアリール及び直鎖又は分枝鎖、置換又は非置換のアルコキシアリールからなる群より選択されるのが更により好ましい。
【００４３】
本発明の別のより好ましい実施形態において、Ｒ３が下記式を有する。
【化８】
2004529148.tif 000009
式中、ｎは約０〜約６の整数である；ｚは約０〜約３の整数である；Ｒ６は約１〜約１２個の炭素原子を有する直鎖又は分枝鎖、飽和又は不飽和、置換又は非置換、環状又は非環状の脂肪族炭化水素基である。本発明の本実施形態の更により好ましい態様において、ｚは０である。すなわちＲ３が下記式を有する。
【化９】
2004529148.tif 000010
式中、ｎ及びＲ６は以上で記載された通りである。
【００４４】
本発明の別のより好ましい実施形態において、Ｒ４が下記式を有する。
【化１０】
2004529148.tif 000011
式中、ｍは約０〜１０の数である；及びＲ６は以上で記載された通りである。
【００４５】
本発明の別の更により好ましい実施形態において、第一の四級窒素化合物は下記式を有する。
【化１１】
2004529148.tif 000012
本発明の別の更により好ましい実施形態において、第一の四級窒素化合物は下記式を有する。
【化１２】
2004529148.tif 000013
本発明の別の更により好ましい実施形態において、第一の四級窒素化合物は下記式を有する。
【化１３】
2004529148.tif 000014
本発明の１つのより好ましい実施形態において、Ｘはハロゲン、スルフェート、メチルスルフェート、及びそれらの混合物からなる群より選択される。Ｘは塩素、臭素、スルフェート、メチルスルフェート、及びそれらの混合物からなる群より選択されるのが更により好ましい。
【００４６】
本発明の別の更により好ましい実施形態において、第一の四級窒素化合物は、マッキンタイア（McIntyre）から入手可能なマッカーニウム（Mackernium）Ｓ−８５、更にマッキンタイアから入手可能なマッカーニウムＳＤＣ−８５、クラリアント（Clariant）から入手可能なＨＯＥ  Ｓ  ４１３１、ロディア（Rhodia Inc.）から入手可能なアルカクワット（Alkaquat）ＤＭＢ−４５１、及びロンザ（Lonza Inc.）から入手可能なバルクワット（Barquat）ＭＢ−５０のような市販の四級窒素化合物から好適に選択されてもよい。
【００４７】
本組成物において、第一の四級窒素化合物は、通常、組成物の約０．０００１重量％〜約２．０重量％、好ましくは約０．００１重量％〜約１．５重量％、より好ましくは約０．００２重量％〜約１．０重量％の濃度で存在する。
【００４８】
（ｂ）第二の四級窒素化合物
本発明のローション組成物は、好ましくは下記式の第二の四級窒素化合物を含む。
【化１４】
2004529148.tif 000015
式中、Ｒ１、Ｒ２及びＲ３はＣ１〜Ｃ３アルキルから各々独立して選択される；Ｒ５は、約１〜約３０個の炭素原子を有する直鎖又は分枝鎖、飽和又は不飽和、置換又は非置換、環状又は非環状の脂肪族炭化水素基である；Ｘはハロゲン、スルフェート、アルキルスルフェート、及びそれらの混合物からなる群より選択される。
【００４９】
本発明の１つのより好ましい実施形態において、Ｒ５は、好ましくは直鎖又は分枝鎖、置換又は非置換のアルキル；直鎖又は分枝鎖、置換又は非置換のアルコキシ；及び直鎖又は分枝鎖、置換又は非置換のアルケニルからなる群より選択される。Ｒ５は、好ましくはＣ１２〜Ｃ２０の直鎖又は分枝鎖アルキルであるのが更により好ましい。
【００５０】
本発明の別の更により好ましい実施形態において、第一の四級窒素化合物は下記式を有する。
【化１５】
2004529148.tif 000016
本発明の１つのより好ましい実施形態において、Ｘはハロゲン、スルフェート、メチルスルフェート、及びそれらの混合物からなる群より選択される。Ｘは塩素、臭素、スルフェート、メチルスルフェート、及びそれらの混合物からなる群より選択されるのが更により好ましい。
【００５１】
本発明の別の更により好ましい実施形態において、第二の四級窒素化合物は、マッキンタイアから入手可能なマッカーニウムＣＴＣ−２５、更にマッキンタイアから入手可能なマッカーニウムＣＴＣ−３０、ロンザから入手可能なバルクワットＣＴ−２９、ヘンケル（Henkel）から入手可能なデヒコートＡ、及びステパン（Stepan）から入手可能なアモニックス（AMMONYX）ＣＥＴＡＣのような市販の四級窒素化合物から好適に選択されてもよい。
【００５２】
本組成物において、第二の四級窒素化合物は、通常、組成物の約０．０００１重量％〜約５．０重量％、好ましくは約０．００１重量％〜約３重量％、より好ましくは約０．００２重量％〜約２．０重量％の濃度で存在する。
【００５３】
（ｃ）水性キャリア
主要割合、例えば、本明細書の組成物の約３分の２超過（通常、おおよそ８０重量％〜９９．７重量％）は、成分の可溶化キャリアとして水、及び任意選択的に毒物学的に許容可能な有機溶媒を含む。好適な毒物学的に許容可能な溶媒としては、Ｃ１〜Ｃ６アルコール、Ｃ２〜Ｃ６ジオール、Ｃ３〜Ｃ６トリオール、及びそれらの混合物が挙げられるが、これらに限定されない。好適な水性キャリアの１つの例は水である。好適な水性キャリアの別の例は、水及びジプロピレングリコールである。好適な水性キャリアのさらなる例は、水及びエタノールである。別の好ましい毒物学的に許容可能な有機溶媒はグリセロールである。
毒物学的に許容可能な有機溶媒の混合物は本発明の範囲内である。
任意選択的な有機溶媒を使用する場合、有機溶媒は通常、組成物の約０．００１重量％〜約５重量％、好ましくは約０．００２重量％〜約２重量％、より好ましくは約０．００３重量％〜約１重量％の濃度で組成物中に存在する。
【００５４】
（組成物のｐＨ）
本発明のローション組成物のｐＨは変更可能である。ｐＨの選択は、多くの要因に左右される。それには、基材の選択、組成物の構成成分、洗浄されるべき物品などが挙げられるが、これらに限定されない。例えば、パーソナル拭取り用品は、ヒトの皮膚上でのその目的用途と適合性のあるｐＨを有するように製造される。
【００５５】
ｐＨ域が選択されるいずれの場合でも、ウェットタイプの拭取り用品の全ての構成成分がそのｐＨ域内で安定であるのが好ましい。このことは、組成物中に存在する全ての構成成分及び基材が、そのｐＨ域で安定であることを意味する。
【００５６】
（任意成分）
本発明のローションは、追加の任意成分を含んでいてもよい。代表的ないくつかの追加的なローション成分は、１９９６年７月９日に発行された米国特許第５，５３４，２６５号；１９９１年８月２７日に発行された米国特許第５，０４３，１５５号；及び１９９７年７月１５日に発行された米国特許第５，６４８，０８３号に見出すことができる。
【００５７】
任意成分を使用する場合、各々の成分は通常、組成物の約０．００１重量％〜約５重量％、好ましくは約０．００２重量％〜約２重量％、より好ましくは約０．００３重量％〜約１重量％の濃度で組成物中に存在する。
【００５８】
（界面活性剤）
本発明のローション組成物は、好ましくは界面活性剤を含む。特に組成物は、好ましくは非イオン性界面活性剤、陰イオン性界面活性剤、陽イオン性、両性、双性イオン性、及びそれらの混合物からなる群より選択される界面活性剤が挙げられる。好適な界面活性剤の代表的な例は、「界面活性剤及び洗剤」（Ｉ及びＩＩ巻、シュワルツ、ペリー、及びベルク（Schwartz,Perry and Berch））に示されている。そのような多様な界面活性剤はまた、全般的に米国特許第３，９２９，６７８号（ラフリン（Laughlin）ら、１９７５年１２月３０日発行）の２３欄５８行〜２９欄２３行に記載されている。
【００５９】
界面活性剤が存在する場合、界面活性剤は通常、組成物の約０．００１重量％〜約５重量％、好ましくは約０．００２重量％〜約２重量％、より好ましくは約０．００３重量％〜約１重量％の濃度で組成物中に使用される。
【００６０】
非イオン性界面活性剤−非イオン性界面活性剤を使用する場合、好適な非イオン性界面活性剤のいずれを利用してもよい。例えば、分枝、中鎖分枝、直鎖、キャップあり、キャップなし、低発泡など。いくつかの好適な非イオン性界面活性剤としては、脂肪族アルコール、フェノール、又は酸のアルキレンオキシド（エチレンオキシド及び／又はプロピレンオキシド）付加物、エチレンオキシド、プロピレンオキシドブロックコポリマー、ポリソルベート、グルコース（アルキルポリグルコシド又はＡＰＧ）の脂肪族アルコール付加物が挙げられる。非イオン性界面活性剤の混合物も可能である。
【００６１】
好適な非イオン性界面活性剤の特定の例としては、イソセテス（Isoceteth）−２０、アルコキシル化アルコール（アーラソルブ（Arlasolve）２００としてユニケマ（Uniqema）（デラウェア州ウィルミントン、コンコードプラザ（Concord Plaza）から市販されている）；プルロニック（Pluronic）６２ブランド、ＢＡＳＦ社（ニュージャージー州マウントオリーブ（Mount Olive））から入手可能なプロピレンオキシド及びエチレンオキシドのブロックコポリマー；ポロキサマー（Poloxamer）１０１− ポロキサマー４０７、プロピレンオキシド及びエチレンオキシドのブロックコポリマー；ダバノール（Dobanol）（商標）及びネオドール（Neodol）（登録商標）シリーズの非イオン性界面活性剤（シェル・オイル（Shell Oil）社から入手可能）；シンペロニック（Synperonic）シリーズの非イオン性界面活性剤（インペリアル・ケミカル・インダストリーズＰＬＣ（Imperial Chemical Industries PLC）から入手可能）；ルテンゾル（Lutensol）（登録商標）シリーズの非イオン性界面活性剤（ＢＡＳＦから入手可能）；タージトール（Tergitol）（登録商標）シリーズの非イオン性界面活性剤（ユニオン・カーバイド（UNION CARBIDE））から市販されている）が挙げられる。
【００６２】
別の種類の好適な非イオン性界面活性剤は、ポリアルキレンオキシドポリシロキサンである。通常、ポリアルキレンオキシドポリシロキサンは、ジメチルポリシロキサン疎水部分及び１つ以上の親水性のポリアルキレン鎖を有する。側鎖（ペンダント部分）として、又はポリシロキサン疎水部分とのブロックコポリマー部分として、親水性のポリアルキレン鎖を組み込むことができる。ポリアルキレンオキシドポリシロキサンは、下記一般式によって記載される。
【００６３】
Ｒ１―（ＣＨ３）２ＳｉＯ―［（ＣＨ３）２ＳｉＯ］ａ―［（ＣＨ３）（Ｒ１）ＳｉＯ］ｂ―Ｓｉ（ＣＨ３）２―Ｒ１
式中、ａ＋ｂは約１〜約５０、好ましくは約１〜約３０、更に好ましくは約１〜約２５であり、各Ｒ１は同一であるか又は異なり、メチル及び次の一般式を有するポリ（エチレンオキシド／プロピレンオキシド）コポリマー基からなる群より選択される；
−（ＣＨ２）ｎＯ（Ｃ２Ｈ４Ｏ）ｃ（Ｃ３Ｈ６Ｏ）ｄＲ２
少なくとも１つのＲ１は、ポリ（エチレンオキシ／プロピレンオキシ）コポリマー基であり、式中、ｎは３又は４、好ましくは３である；（全てのポリアルキレンオキシ側基の）ｃの合計は１〜約１００、好ましくは約６〜約１００の値を有する；ｃ＋ｄの合計は約５〜約１５０、好ましくは約７〜約１００の値を有し、各Ｒ２は同一であるか又は異なり、水素、１〜４個の炭素原子を有するアルキル基、及びアセチル基、好ましくは水素及び／又はメチル基からなる群より選択される。各ポリアルキレンオキシドポリシロキサンは、ポリ（エチレンオキシド／プロピレンオキシド）コポリマー基である少なくとも１個のＲ１基を有する。
【００６４】
これらの種類の界面活性剤の非限定的な例は、ＣＫ−ウィトコ（CK-Witco）より入手可能な、シルエット（Silwet）（登録商標）界面活性剤である。エチレンオキシ（Ｃ２Ｈ４Ｏ）基だけを含む代表的なシルエット（登録商標）界面活性剤は、シルエットＬ−７６０８；シルエットＬ−７６０７；シルエットＬ−７７；シルエットＬ−７６０５；シルエットＬ−７６０４；シルエットＬ−７６００；シルエットＬ−７６５７；シルエットＬ−７６０２；シルエットＬ−７６２２；シルエットＬ−８６００；シルエットＬ−８６１０；及びシルエットＬ−８６２０である。
【００６５】
エチレンオキシ（Ｃ２Ｈ４Ｏ）及びプロピレンオキシ（Ｃ３Ｈ６Ｏ）基の両方を含むシルエット（登録商標）界面活性剤の非限定例は、シルエットＬ−７２０；シルエットＬ−７００１；シルエットＬ−７００２；シルエットＬ−７２１０；シルエットＬ−７２００；及びシルエットＬ−７２２０である。
【００６６】
プロピレンオキシ（Ｃ３Ｈ６Ｏ）基だけを含むシルエット（登録商標）界面活性剤の非限定例は、シルエットＬ７５００；シルエットＬ７５１０；シルエットＬ７５５０；及びシルエットＬ８５００である。
【００６７】
ポリエーテル鎖（Ｒ１）中のエチレンオキシ単位（−Ｃ２Ｈ４Ｏ）の数は、ポリアルキレンオキシドポリシロキサンを水分散性又は水溶性にするのに十分な値でなければならない。ポリアルキレンオキシ鎖にプロピレンオキシ基が存在する場合、それは鎖中にランダムに分布するか、又はブロックとして存在し得る。好ましいシルエット（登録商標）の非限定的な例には、Ｌ７００１、Ｌ７２００、及びＬ７０８７が挙げられる。好ましい特性を有するシルエット（登録商標）界面活性剤の混合物も、本発明の範囲内である。
【００６８】
本組成物中に非イオン性界面活性剤を使用する場合、非イオン性界面活性剤は通常、組成物の約０．０００２重量％〜約２重量％、好ましくは約０．００１重量％〜約０．７重量％、より好ましくは約０．００２重量％〜約０．４重量％の濃度で存在する。
【００６９】
陰イオン性界面活性剤−陰イオン性界面活性剤を本発明のローション組成物に使用することができる。いくつかの好適な陰イオン性界面活性剤としては：アルキルベンゼンスルホネート（直鎖、高級２−フェニル、ＭＬＡＳ変更物を含む）；分枝又は直鎖、置換又は非置換のアルキルスルホネート、分枝又は直鎖、置換又は非置換のアルキルスルフェート；アルキルエーテルスルフェート；アルコキシル化スルフェート、例えば、アルキルエトキシル化スルフェート；イセチオネート；アルキルフェノールエチレンオキシドエーテルスルフェート、パラフィンスルホネート；アルキルホスフェート、例えば、アシルイセチオネート；Ｎ−アシルタウレート、アルキルスクシナメート、及びスルホスクシナメート；スルホスクシナメートのモノエステル；アルキルカルボキシレート；アルキルポリエトキシカルボキシレート；脂肪族アルコールのエチレン及び／又はエチレン／プロピレンオキシド付加物のホスフェートエステル；ジアルキルスルホサクシネート；２−エチルヘキシルスルフェート；並びにモノ及びジメチルナフタレンスルホネートが挙げられる。
【００７０】
両性界面活性剤−本明細書で用いるのに好適な両性界面活性剤には、式、Ｒ１Ｒ２Ｒ３ＮＯを有し、式中、Ｒ１、Ｒ２、及びＲ３がそれぞれ独立して、１〜３０個までの炭素原子を有する飽和置換又は非置換、直鎖又は分枝鎖の炭化水素鎖であるアミンオキシドが含まれる。本発明に基づいて用いるのに好ましいアミンオキシド界面活性剤は、式、Ｒ１Ｒ２Ｒ３ＮＯを有し、Ｒ１が１〜３０個、好ましくは６〜２０個、更に好ましくは８〜１６個、最も好ましくは８〜１２個の炭素原子を含む炭化水素鎖であり、Ｒ２及びＲ３がそれぞれ別個に、１〜４個、好ましくは１〜３個の炭素原子を含む置換又は非置換、直鎖又は分枝鎖の炭化水素鎖であって、更に好ましくはメチル基であるところのアミンオキシドである。Ｒ１は飽和置換又は非置換、直鎖又は分枝鎖の炭化水素鎖であってよい。
【００７１】
本明細書に用いるのに好適なアミンオキシドは、例えば、ヘキスト（Hoechst）社から購入できるナチュラルブレンドのＣ８〜Ｃ１０アミンオキシドと同様に、Ｃ１２〜Ｃ１６アミンオキシドである。
【００７２】
双性イオン性界面活性剤−本明細書に用いることのできる好適な双性イオン性界面活性剤は、比較的広いｐＨ範囲下で、同一分子に陽イオン性親水性基及び陰イオン性親水性基の両方を有する。典型的な陽イオン性基は四級アンモニウム基であるが、ホスホニウム基、イミダゾリウム基、及びスルホニウム基などその他の正電荷をもつ基を用いることもできる。典型的な陰イオン性親水性基はカルボキシレート及びスルホネートであるが、スルフェート、ホスホネートなどのような他の基も使用することができる。
【００７３】
極めて好ましい双性イオン性界面活性剤には、ベタイン及びスルホベタイン界面活性剤、その誘導体又はその混合物が挙げられる。更に、前記ベタイン又はスルホベタイン界面活性剤は穏やかな作用を有するため、デリケートな表面、例えば、乳児の皮膚の洗浄に特に好適である。また、ベタイン及びスルホベタイン界面活性剤は、皮膚及び／又は処理表面に対して極めて刺激が少ない。
【００７４】
好適なベタイン及びスルホベタイン界面活性剤としては、アシルベタイン、アルキルイミダゾリンアラニンベタイン、グリシンベタイン、これらの誘導体のような官能化ベタインが挙げられる。このような洗剤のよく知られた例のいくつかは、米国特許第２，０８２，２７５号、米国特許第２，７０２，２７９号、及び米国特許第２，２５５，０８２号に記載されている。
【００７５】
特に好適なベタイン界面活性剤の例としては、ココナッツベタイン及びラウリルベタインのようなアルキルジメチルベタインが挙げられる。ココナッツベタインは、アモニル（Amonyl）２６５（登録商標）という商品名でセピック（Seppic）社から入手可能である。ラウリルベタインは、エムピゲン（Empigen）ＢＢ／Ｌ（登録商標）という商品名でアルブライト・アンド・ウィルソン社（Albright & Wilson）から購入できる。別のシリーズの好適なベタイン及びスルタイン界面活性剤は、マッキンタイアグループ（McIntyre Group）（米国イリノイ州シカゴ）から入手可能なマッカム（Mackam）シリーズの界面活性剤である。好適な例としては、ラウリンアミドプロピルベタインであるマッカムＬＭＢ（登録商標）、コカミドプロピルヒドロキシスルタインであるマッカムＣＢＳ５０Ｇ（登録商標）が挙げられる。
【００７６】
他の好適な双性イオン性界面活性剤としては、Ｃ１０〜Ｃ１４脂肪族アシルアミドプロピレン（ヒドロキシプロピレン）スルホベタインであり、「ヴァリオン（Varion）ＣＡＳスルホベタイン」（登録商標）という商品名でシェレックス社（Sherex Company）から入手可能である。
【００７７】
双性イオン性界面活性剤が存在する場合、双性イオン性界面活性剤は通常、組成物の約０．００１重量％〜約５重量％、好ましくは約０．００２重量％〜約２重量％、より好ましくは約０．００３重量％〜約１重量％の濃度で組成物中に使用される。
【００７８】
ポリマー−１つの実施形態において、ローションは非セルロース性の水溶性有機ポリマー、例えば、エチレンオキシドのポリマーを含んでいてもよい。好ましいポリマーは、式、Ｈ（ＯＣＨ２ＣＨ２）ｎＯＨ（ｎ＝１５０〜１６００００）を有するＰＥＧ−７Ｍ、エチレンオキシドである。好適なＰＥＧ−７Ｍは、ユニオン・カーバイド（Union Carbide）社（０６８１７−０００１、コネティカット州ダンブリ（Danbury））からポリオックス（Polyox）ＷＳＲ  Ｎ−７５０として市販されている。
【００７９】
防腐剤−本組成物を高ｐＨで製造すれば、細菌、真菌、又はカビのような汚染物質の生物学的成長の傾向を減少できる。同様に酸性又は中性ｐＨの組成物においては、細菌、真菌、又はカビのような汚染物質の生物学的成長が問題となり得る。しかし防腐剤は、製造時又は使用中の汚染物質による生物学的成長を確実に防止するのに役立ち得る。例えば、カビを防止及び／又は排除するための防腐剤が含まれる。防腐剤は、塩基性ｐＨを有する組成物には必要でない場合があることに留意すべきである。しかし、塩基性ｐＨを有する組成物に防腐剤が含まれていてもよい。
【００８０】
防腐剤は、液体ローション及び／又は基材中の微生物の成長を防ぐ。一般にこのような防腐剤は、疎水性又は親水性の有機分子である。好適な防腐剤としては、メチルパラベン、プロピルパラベンのようなパラベン；リンゴ酸及び安息香酸のような有機酸；及びそれらの混合物が挙げられるが、これらに限定されない。別の好適な防腐剤は、ヒドロキシメチルグリシネート（hudroxymethylglycinate）であり、これはシュットン・ラボラトリーズ（Syutton Laboratories）から商品名シュットサイドＡ（SUTTOCIDE A）として市販されている。
【００８１】
防腐剤を使用する場合、防腐剤は通常、組成物の約０．００１重量％〜約５重量％、好ましくは約０．００２重量％〜約２重量％、より好ましくは約０．００３重量％〜約１重量％の濃度で組成物中に存在する。
【００８２】
保湿剤−保湿剤は、水を角質層に引き込むように機能して皮膚を水和する、吸湿性の物質である。水は真皮によって又は大気によってもたらされてもよい。保湿剤の例として、グリセリン、プロピレングリコール、及びリン脂質が挙げられる。
【００８３】
皮膚軟化剤−本明細書で使用する時、皮膚軟化剤は、皮膚を、軟化する、滑らかにする、しなやかにする、コートする、潤滑する、又は湿りを与える物質である。用語、皮膚軟化剤は、従来型脂質材料（例えば、脂肪類、ろう類）、極性脂質（更に水溶性にするために親水性に変性した脂質）、シリコーン類、炭化水素、及びその他の溶媒材料を含むが、これらに限定されない。本発明に有用な皮膚軟化剤は、石油基剤の、脂肪酸エステル型、アルキルエトキシレート型、脂肪酸エステルエトキシレート類、脂肪アルコール型、ポリシロキサン型、ムコ多糖類、又はそれらの混合物であり得る。好適な皮膚軟化剤のいくつかの例としては、ラノリン、ワセリンタラ肝油、及び鉱油が挙げられる。
【００８４】
本明細書に用いるのに好適な代表的なシリコーン油としては、ジメチコーン（あるいは直鎖ポリジメチルシロキサンポリマー、ジメチルシリコーンと称される）、置換の直鎖ジメチコーン、シクロメチコーン、ジメチコノール、トリメチルシロキシシリケート、及びそれらの混合物が挙げられる。このようなシリコーンは、例えば、ダウ・コーニング（Dow Corning）社（ミシガン州ミッドランド（Midland））から商品名ダウ・コーニング２００流体（ジメチコーン）、ダウ・コーニング１４０１流体（シクロメチコーン及びジメチコノール）、ダウ・コーニング５９３流体（ジメチコーン及びトリメチルシロキシシリケート）、及びダウ・コーニング２５０３流体（ステアリルジメチコーン）として市販されている。本明細書に用いるのに好適なこのようなシリコーン油及びその他のシリコーン油は、技術パンフレットにおいて番号付けされた２４−４１４Ｃ−９３及び題名「パーソナルケア用溶液の形状（Shaping Solutions for Personal Care）」（ダウ・コーニング社、ミシガン州ミッドランド、１９９３年）に記載されている。別の好適な皮膚軟化剤は、アルゾ・インターナショナル（Alzo international）（米国ニュージャージー州）から入手可能なデルモール（Dermol）Ｇ−７ＬＣ（登録商標）（ポリエチレン（７）グリセリルエーテルラクテート又はグリセレス−７−ラクテート）である。デルモール（Dermol）Ｇ−７ＬＣ（登録商標）は、乳酸から製造される天然由来の皮膚軟化剤である。
【００８５】
香料−香料は、組成物に審美的に満足のいく匂いを与えるために本組成物中に任意選択的に組み入れられる。種々の香料物質、特にカンキツ系、マツ、及び「野外の」新鮮な香りのような匂い特性をもたらすものが利用できる。あるいは香料は、不快な成分臭を隠すために導入されてもよい。本明細書で有用な香料のいくつかは、マイケル（Michael）に対して１９９２年４月２８日に発行された米国特許第５，１０８，６６０号の第８欄４８〜６８行及び第９欄１〜６８行及び第１０欄１〜２４行により詳細に記載されており、この特許、特に該当部分を本明細書に参考のために示す。
【００８６】
香料可溶化剤−香料可溶化剤は、水不溶性の香料成分のローションから沈殿する傾向を減少させる構成成分である。香料可溶化剤の例として、エタノール、イソプロパノール、ベンジルアルコール、及びフェノキシエタノールなどのアルコール；ポリソルベートを含むがこれに限定されないＨＬＢの高い（１３を超えるＨＬＢ）あらゆる乳化剤；並びに高エトキシ化酸及びアルコールが挙げられる。
【００８７】
キレート剤−本明細書に好ましいキレート剤は、ポリホスフェート塩若しくは有機ポリカルボン酸塩、例えば、クエン酸ナトリウム及び／若しくはカリウム、並びに／又はエチレンジアミン四酢酸ナトリウム及び／若しくはカリウムであり、これらは商業上、標準的物品である。他の有機ポリカルボン酸、例えば、クエン酸、酒石酸、リンゴ酸も使用できる。錯化ホスフェートも使用できるが、ホスフェート濃度が特に禁止されているか、又は非常に制限されているような規制理由から一般に使用されない。通常、使用するならば、キレート剤は、組成物の約０．０００５重量％〜約３重量％、好ましくは約０．００１重量％〜約０．５重量％、より好ましくは約０．００３重量％〜約０．２重量％の濃度で存在する。キレート剤は、硬度が高くとも配合物の効力を維持できる。
【００８８】
緩衝剤−製品のｐＨを所望の範囲に維持するために緩衝剤を本明細書のローションに使用してもよい。製造性を容易にするために、このような緩衝剤はそのカリウム塩の形態であるのが望ましいことが多い。ナトリウム塩も許容可能であり、更に好ましいのはアルキルスルフェート／スルホネート界面活性剤との組み合わせである。炭酸カリウム及び／若しくはナトリウム、重炭酸カリウム及び／若しくはナトリウム、水酸化カリウム及び／若しくはナトリウム（水和物）、クエン酸カリウム及び／若しくはナトリウム、並びに／又はオルトリン酸カリウム及び／若しくはナトリウムは、好都合であり、好ましいｐＨ緩衝剤である。水酸化カルシウム及び／又はマグネシウムも、塩基性ｐＨを調製するために、特に組成物がカルシウムイオン封鎖剤を含まない場合に使用できる。水酸化ナトリウム及びカリウムは、緩衝系の一部として使用できる。
【００８９】
組成物において緩衝剤が存在する場合、緩衝剤の濃度は、組成物の約０．０００５重量％〜約１０重量％、好ましくは約０．００１５重量％〜約５重量％、より好ましくは約０．００２５重量％〜約１．５重量％である。
【００９０】
スキンケア剤−ローションはまた、皮膚の回復を促進する機能を提供するため有効量のスキンケア剤、例えば、角質溶解剤（kerotolytic）を含むことができる。特に好ましい角質溶解剤は、実験式、Ｃ４Ｈ６Ｎ４Ｏ３を有する複素環式有機化合物、アラントレイン（（２，５−ジオキソ−４−イミダゾリジニル）尿素）である。アラントインは、ニュージャージー州エマーソン（Emerson,New Jersey）のトリ−Ｋ産業（Tri-K Industries）から市販されている。本発明によるウェットタイプの拭取り用品は、過水和した皮膚などの皮膚の回復を促進する、有効量のアラントインを任意選択的に含んでいてもよい。別の好適なスキンケア剤は、フォネックス・ケミカルズ（Phonex Chemicals）（米国ニュージャージー州）から入手可能なセンシバ（Sensiva）ＳＣ５０（登録商標）である。センシバＳＣ５０（登録商標）は、３［（２−エチルヘキシル）オキシ］１，２−プロパンジオールを含む。
【００９１】
他の任意成分−本発明のローションはまた、任意選択的に他の任意剤、例えば：パンテノール、ビサボロール、イクタモール（ichthammol）、グリチルレチン酸ステアリル、グリチルレチン酸アンモニウム、ビタミンＥ（トコフェロール又はトコフェロールアセテート）、ビタミンＡ（レチニル又はレチニルパルミテート）のような皮膚沈静剤；緑茶抽出物、コーラ抽出物、オート麦抽出物、チャノキ（teat tree）抽出物、及びアロエのような植物抽出物；及び皮膚湿潤剤；粉剤などを含んでいてもよい。
【００９２】
（Ｃ）製品
本製品は、以上で記載したようなウェットタイプの拭取り用品を含み、それは消費者用の使用説明書を具備する容器中に包装され得る。本発明の製品は、通常、（Ａ）容器、（Ｂ）１つ以上のウェットタイプの拭取り用品、及び任意選択的に（Ｃ）この物品に関連して使用説明書を含み、この使用説明書は、ウェットタイプの拭取り用品で表面を拭取るための指示を含み、この表面は、生物学的表面及び生物学的に接触する表面からなる群より選択される。
【００９３】
本物品に有用な容器には、例えば、ＰＥＴタブ、フローラップ（flow wrap）小袋、個々に包装された拭取り用品用の切り込みのはいった袋、及びその他の当該技術分野で既知の、ウェットタイプの拭取り製品用の他の包装が挙げられるが、これらに限定されない。通常、本発明のウェットタイプのものは、ウェットタイプの拭取り用品に装填される組成物が蒸発するのを防ぐために容器内に保存される。容器はまた個々の拭取り用品の移動を促進することもできる。
【００９４】
本発明の１つの実施形態において、製品は、「リーチイン式」容器であってもよく、ウェットタイプの拭取り用品は折り畳まれて、積み重ねられた別々のシートの形態である。この構成によれば、容器の最上部の拭取り用品に「到達」し、拭取り用品を抜き取るユーザーに触れるタオルは、一度に１枚である。残りの拭取り用品は、積み重ねられ、折り畳まれた構成のままである。リーチイン式容器は、タブ状の構成（硬質容器）又は軟質、一般に長方形の包装構成を有する場合が多く、通常、残存する拭取り用品を早期の乾燥から守るため再び密閉可能な蓋を有するか、又は覆われている。
【００９５】
本発明の１つの実施形態において、製品は「ポップアップ式」のディスペンサーであってもよく、包装から最初に引き出される拭取り用品の後縁部が開口又は開口部を通して次の拭取り用品の前縁部を引き出す。最初の拭取り用品が容器から排出されると、次の拭取り用品の前縁部から分離して、次の拭取り用品の前縁部を開口の縁の容易に利用可能な位置で維持させる。１つのポップアップ式配置において、別々に折り畳まれた拭取り用品は、積み重なるような構成で差し込まれる。拭取り用品は、差し込まれて（折り合わされて）、それらは互いに接着するように縁の部分で重なっている。重なった領域における接着力は、重なった各領域の分離が生じる前に、１つの拭取り用品が容器の開口部を通して次の拭取り用品の前縁部を引っ張るのに必要な力を与える。本発明のローションシステムは、「ポップアップ式」ディスペンサーに関連する欠点（例えば、連鎖、飛び出し（liftoff）、及び後退（fall back））を最小限にすることができるので、特に「ポップアップ式」ディスペンサーに用いるのに好適である。
【００９６】
個別のウェットタイプの拭取り用品を確実に１つずつ連続的に分配するための１つの代表的な「ポップアップ式」分配装置であって、該装置は、
（Ａ）内部部分及び開口部を有し、連続的にウェットタイプの湿った拭取り用品を端から端までを引き出すために、好ましくは実質的にＳ型である容器；
（Ｂ）本発明の第一の実施形態に基づく複数のウェットタイプの拭取り用品からなり、該ウェットタイプの拭取り用品は、前記容器の前記内部部分において積み重ねられ、折り畳まれて差し込まれており、好ましくは折り畳みのパターンは実質的に折り合わされたＺ型折りである。
【００９７】
個別のウェットタイプの拭取り用品を確実に１つずつ連続的に分配するために好適な「ポップアップ式」分配装置のさらなる情報は、米国特許出願第０９／３４４，６９５号（１９９９年６月２５日出願）（Ｐ＆Ｇ整理番号７４９６Ｒ）に見出すことができ、この文献の関連部分は本明細書に引用して援用する。
【００９８】
本発明の１つの実施形態において、本発明の製品は更に、容器に関連して使用説明書を含んでいてもよい。本明細書で使用する時、語句「関連して」は、使用説明書を製品の消費者に伝えることができるように、指示が容器自体に直接印刷されていること、又はカタログ、印刷広告、電子広告、及び／若しくは口頭伝達を含むが、これらに限定されない様々な方式で提示されることのいずれかを意味する。
【００９９】
使用説明書は、例えば、すすぎを伴うか又は伴わないいずれかのウェットタイプの拭取り用品を用いて、表面を拭取るための指示を含む。使用説明書は、１つの拭取り用品のみを使用するための使用法が含まれていてもよいし、又は例えば、２つ、３つ、若しくは更にそれ以上の多数の拭取り用品を使用するための指示が含まれていてもよい。
【０１００】
使用説明書は、以下に記載する方法を実行するための指示を含むことができる。使用説明書は通常、本物品の容器に関連している。
【０１０１】
（方法）
本発明のウェットタイプの拭取り用品を調製する際に、組成物は基材上及び／又は基材中に配置されるべきである。拭取り用品基材と本発明の組成物とを組み合わせる技術は、当該技術分野において周知である。拭取り用品基材と組成物とを組み合わせる一般的な方法の例には、本発明の組成物で拭取り用品基材をコーティング、浸漬、ドリップ、又は噴霧することが含まれていてもよい。本発明の組成物は、本発明の所望の利益を与えるのに十分な濃度で拭取り用品基材に添加される。
【０１０２】
本発明のローションは、次の実施例により製造でき、この実施例は代表的ではあるが、限定的でないことを意味する。
【実施例】
【０１０３】
（実施例１）
【表１】
2004529148.tif 000017
注釈：
１．シュットサイドＡ及び安息香酸ナトリウムの混合物；
２．シルエットＬ−７６５７；
３．プロピレングリコール；
４．塩化セトリモニウム及び塩化ベンゼトニウムの混合物；
５．マッカムＬＭＢ及びマッカムＣＢＳ５０Ｃの混合物；
６．センシバＳＣ５０；
７．デルモールＧ−７ＬＣ
（実施例２）
【表２】
2004529148.tif 000018
注釈：
１．シュットサイドＡ；
２．安息香酸ナトリウム；
３．シルエットＬ−７６５７；
４．プロピレングリコール；
５．塩化ベンザルコニウム及び塩化セトリモニウムの混合物；
６．マッカムＬＭＢ；
７．マッカムＣＢＳ５０Ｃ；
８．センシバＳＣ５０；
９．デルモールＧ−７ＬＣ
（実施例３）
【表３】
2004529148.tif 000019
（実施例４）
【表４】
2004529148.tif 000020
しかるべく、本発明の特定の実施形態を例示し説明してきたが、本発明の趣旨及び範囲から逸脱することなく様々な他の変形及び変更が可能であることは、当業者には明白である。従って、付随する請求項において、開示した特徴の組み合わせを含む、本発明の範囲内にある全てのそのような変形及び変更を包含しようとするものである。
【国際公開パンフレット】
2004529148.tif 000030
2004529148.tif 000031
2004529148.tif 000032
2004529148.tif 000033
2004529148.tif 000034
2004529148.tif 000035
2004529148.tif 000036
2004529148.tif 000037
2004529148.tif 000038
2004529148.tif 000039
2004529148.tif 000040
2004529148.tif 000041
2004529148.tif 000042
2004529148.tif 000043
2004529148.tif 000044
2004529148.tif 000045
2004529148.tif 000046
2004529148.tif 000047
2004529148.tif 000048
2004529148.tif 000049
2004529148.tif 000050
2004529148.tif 000051
2004529148.tif 000052
2004529148.tif 000053
2004529148.tif 000054
2004529148.tif 000055
2004529148.tif 000056
2004529148.tif 000057
2004529148.tif 000058
【国際公開パンフレット（コレクトバージョン）】
2004529148.tif 000059
【国際調査報告】
2004529148.tif 000060
2004529148.tif 000061